【手続補正書】
【提出日】平成26年9月25日(2014.9.25)
【手続補正１】
【補正対象書類名】明細書
【補正対象項目名】発明の名称
【補正方法】変更
【補正の内容】
【発明の名称】プロジェクタ装置、その制御方法、制御装置、及びその制御方法
【手続補正２】
【補正対象書類名】特許請求の範囲
【補正対象項目名】全文
【補正方法】変更
【補正の内容】
【特許請求の範囲】
【請求項１】
入力された原画像を投影するプロジェクタ装置を複数台有するマルチプロジェクションシステムであって、複数台のプロジェクタ装置が投影領域上に画像投影を行うことで、該投影領域上に１つの画面を形成する前記マルチプロジェクションシステムにおけるプロジェクタ装置であって、
該プロジェクタ装置に入力された原画像を該プロジェクタ装置の設置位置に基づいて幾可変形させる場合に用いる幾可変形パラメータを用いて、前記プロジェクタ装置の設置位置を計算する計算手段と、
前記プロジェクタ装置以外の他のプロジェクタ装置の設置位置を取得する取得手段と、
前記計算手段が計算した設置位置、前記取得手段が取得した設置位置、を用いて、前記他のプロジェクタ装置に対する前記プロジェクタ装置の相対位置を特定し、前記投影領域において該相対位置に応じた部分領域をＧＵＩ表示領域として決定する決定手段と、
前記プロジェクタ装置に入力された原画像において前記ＧＵＩ表示領域に対応する領域内にＧＵＩを合成する合成手段と、
前記合成手段により得られる画像に対して前記幾可変形パラメータを用いて幾可変形処理を行い、該幾可変形処理を施した画像を前記投影領域に対して投影する手段と
を備えることを特徴とするプロジェクタ装置。
【請求項２】
前記取得手段は、前記他のプロジェクタ装置から送信された、該他のプロジェクタ装置の計算手段が計算した該他のプロジェクタ装置の設置位置を取得することを特徴とする請求項１に記載のプロジェクタ装置。
【請求項３】
前記取得手段は、前記他のプロジェクタ装置から送信された幾可変形パラメータを用いて該他のプロジェクタ装置の設置位置を計算することで該設置位置を取得することを特徴とする請求項１に記載のプロジェクタ装置。
【請求項４】
前記計算手段は、前記プロジェクタ装置で用いる幾可変形パラメータに含まれている、前記プロジェクタ装置の垂直方向あおり角θ、垂直方向のレンズシフト値、前記プロジェクタ装置から前記投影領域までの投影距離、を用いて（θ＋垂直方向のレンズシフト値×定数）×投影距離、を前記プロジェクタ装置の高さ位置として計算し、
前記取得手段は、前記他のプロジェクタ装置で用いる幾可変形パラメータに含まれている、前記他のプロジェクタ装置の垂直方向あおり角θ、垂直方向のレンズシフト値、前記他のプロジェクタ装置から前記投影領域までの投影距離、を用いて（θ＋垂直方向のレンズシフト値×定数）×投影距離、を前記他のプロジェクタ装置の高さ位置として計算し、
前記決定手段は、前記プロジェクタ装置の高さ位置、前記他のプロジェクタ装置の高さ位置、を用いて、前記他のプロジェクタ装置に対する前記プロジェクタ装置の垂直方向における相対位置を特定し、
前記計算手段は、前記プロジェクタ装置で用いる幾可変形パラメータに含まれている、前記プロジェクタ装置の水平方向あおり角φ、水平方向のレンズシフト値、前記プロジェクタ装置から前記投影領域までの投影距離、を用いて（φ＋水平方向のレンズシフト値×定数）×投影距離、を前記プロジェクタ装置の横位置として計算し、
前記取得手段は、前記他のプロジェクタ装置で用いる幾可変形パラメータに含まれている、前記他のプロジェクタ装置の水平方向あおり角φ、水平方向のレンズシフト値、前記他のプロジェクタ装置から前記投影領域までの投影距離、を用いて（φ＋水平方向のレンズシフト値×定数）×投影距離、を前記他のプロジェクタ装置の横位置として計算し、
前記決定手段は、前記プロジェクタ装置の横位置、前記他のプロジェクタ装置の横位置、を用いて、前記他のプロジェクタ装置に対する前記プロジェクタ装置の水平方向における相対位置を特定する
ことを特徴とする請求項３に記載のプロジェクタ装置。
【請求項５】
前記合成手段は、
前記プロジェクタ装置で用いる幾可変形パラメータに含まれている前記プロジェクタ装置から前記投影領域までの投影距離をｄ１、前記他のプロジェクタ装置で用いる幾可変形パラメータに含まれている前記他のプロジェクタ装置から前記投影領域までの投影距離をｄ２とし、
ｄ１＞ｄ２の場合には、ＧＵＩのサイズを規定のサイズよりも小さく変倍し、該変倍後のＧＵＩを、前記プロジェクタ装置に入力された原画像において前記ＧＵＩ表示領域に対応する領域内に合成し、
ｄ１＜ｄ２の場合には、ＧＵＩのサイズを規定のサイズよりも大きく変倍し、該変倍後のＧＵＩを、前記プロジェクタ装置に入力された原画像において前記ＧＵＩ表示領域に対応する領域内に合成する
ことを特徴とする請求項１乃至４の何れか１項に記載のプロジェクタ装置。
【請求項６】
前記決定手段は、前記投影領域を前記マルチプロジェクションシステムが有するプロジェクタ装置の数の分割領域に分割し、それぞれの分割領域のうち、前記他のプロジェクタ装置に対する前記プロジェクタ装置の相対位置に応じた位置の分割領域を、前記ＧＵＩ表示領域として決定することを特徴とする請求項１乃至５の何れか１項に記載のプロジェクタ装置。
【請求項７】
入力された原画像を投影するプロジェクタ装置を複数台有するマルチプロジェクションシステムであって、複数台のプロジェクタ装置が投影領域上に画像投影を行うことで、該投影領域上に１つの画面を形成する前記マルチプロジェクションシステムにおけるプロジェクタ装置の制御方法であって、
前記プロジェクタ装置の計算手段が、該プロジェクタ装置に入力された原画像を該プロジェクタ装置の設置位置に基づいて幾可変形させる場合に用いる幾可変形パラメータを用いて、前記プロジェクタ装置の設置位置を計算する計算工程と、
前記プロジェクタ装置の取得手段が、前記プロジェクタ装置以外の他のプロジェクタ装置の設置位置を取得する取得工程と、
前記プロジェクタ装置の決定手段が、前記計算工程で計算した設置位置、前記取得工程で取得した設置位置、を用いて、前記他のプロジェクタ装置に対する前記プロジェクタ装置の相対位置を特定し、前記投影領域において該相対位置に応じた部分領域をＧＵＩ表示領域として決定する決定工程と、
前記プロジェクタ装置の合成手段が、前記プロジェクタ装置に入力された原画像において前記ＧＵＩ表示領域に対応する領域内にＧＵＩを合成する合成工程と、
前記プロジェクタ装置の投影手段が、前記合成工程で得られる画像に対して前記幾可変形パラメータを用いて幾可変形処理を行い、該幾可変形処理を施した画像を前記投影領域に対して投影する工程と
を備えることを特徴とするプロジェクタ装置の制御方法。
【請求項８】
第１のプロジェクタ装置の設置位置の、前記第１のプロジェクタ装置が投影面に投影する投影画像に重ねて該投影面に投影画像を投影する第２のプロジェクタ装置の設置位置に対する相対位置を特定する特定手段と、
前記特定手段が特定した相対位置に対応する前記投影面上の領域に、前記第１のプロジェクタ装置に関する情報を示す画像を前記第１のプロジェクタ装置から表示させる制御を行う表示制御手段と
を有することを特徴とする制御装置。
【請求項９】
前記表示制御手段は、前記特定手段が特定した相対位置に対応する前記投影面上の位置に前記画像を、前記第１のプロジェクタ装置から表示させる制御を行うことを特徴とする請求項８に記載の制御装置。
【請求項１０】
前記表示制御手段は、前記特定手段が特定した相対位置に対応する大きさの前記画像を、前記第１のプロジェクタ装置から表示させる制御を行うことを特徴とする請求項８に記載の制御装置。
【請求項１１】
制御装置の制御方法であって、
前記制御装置の制御手段が、第１のプロジェクタ装置の設置位置の、前記第１のプロジェクタ装置が投影面に投影する投影画像に重ねて該投影面に投影画像を投影する第２のプロジェクタ装置の設置位置に対する相対位置を特定する特定工程と、
前記制御装置の表示制御手段が、前記特定工程で特定した相対位置に対応する前記投影面上の領域に、前記第１のプロジェクタ装置に関する情報を示す画像を前記第１のプロジェクタ装置から表示させる制御を行う表示制御工程と
を有することを特徴とする制御装置の制御方法。
【請求項１２】
前記表示制御工程では、前記特定工程で特定した相対位置に対応する前記投影面上の位置に前記画像を、前記第１のプロジェクタ装置から表示させる制御を行うことを特徴とする請求項１１に記載の制御装置の制御方法。
【請求項１３】
前記表示制御工程では、前記特定工程で特定した相対位置に対応する大きさの前記画像を、前記第１のプロジェクタ装置から表示させる制御を行うことを特徴とする請求項１１に記載の制御装置の制御方法。
【請求項１４】
コンピュータを、請求項８乃至１０の何れか１項に記載の制御装置の各手段として機能させるためのコンピュータプログラム。